(57)【要約】  Ｊフック型ケーブルサポート（１０）は、半円形のサドル（１２）と、サドルの一方側に備えられたステム（３０）と、サドルの他方側に備えられたティップ（９０）とを含む。ステム（３０）は、構造部品と係合するため、または複数のケーブルサポートを連結するために、スナップ式ブラケット（１５０，２００）と係合できる突出タブ（５２，５４，５６，５８）を含む。ステムは、サドルから離れるようにステムに沿って異なる高さに備えられた二対のタブを有し得る。タブは、ステムの金属を折り曲げた部分であり、サドルによって定められるケーブル受容領域から離れるように、ステムの背面方向に折り曲げられ得る。スナップ式ブラケットは、１つまたはより多くのケーブルサポートのタブ（５２，５４，５６，５８）を係合するための、１つまたはより多くの対のノッチ（１５２，１５４，１５６，１５８）を含み得る。ワイヤリテーナ（８８）は、ティップ（９０）およびステム（３０）の両方に結合されたワイヤを有し、ケーブル受容領域を閉止するために用いられ得る。
2010538220.tif 000002
【特許請求の範囲】
【請求項１】
ケーブルを受けるサドルと、
前記サドルの一方側から現れるステムと、
前記サドルの他方側から現れるティップとを備え、
前記ステムは、スナップ式ブラケットを受けるためのタブを含む、ケーブルサポート。
【請求項２】
前記タブに結合されるスナップ式ブラケットをさらに備える、請求項１に記載のケーブルサポート。
【請求項３】
前記スナップ式ブラケットは、直線型ブラケット、アングルブラケット、または、複数のケーブルサポートを連結するためのツリー型ブラケットのうちの１つである、請求項２に記載のケーブルサポート。
【請求項４】
前記スナップ式ブラケットに恒久的にまたは一時的に結合される、クリップ、クランプ、またはハンガーをさらに備える、請求項２または３に記載のケーブルサポート。
【請求項５】
前記スナップ式ブラケットは、
前記タブを受けるためのノッチを有する、請求項２〜４のいずれかに記載のケーブルサポート。
【請求項６】
タブの各々は、
前記ステムの残余の部分と結合された、相対的に狭いネック部と、相対的に広い本体部とを有する、請求項１〜５のいずれかに記載のケーブルサポート。
【請求項７】
前記タブは、前記ステムの、前記サドルから反対方向にある背面側から延びる、折り曲げられた金属板の爪である、請求項１〜６のいずれかに記載のケーブルサポート。
【請求項８】
前記サドル、前記ティップ、および前記ステムのすべては、単一の金属板の一体型部品である、請求項１〜７のいずれかに記載のケーブルサポート。
【請求項９】
ケーブルサポートであって、
ケーブルを受けるサドルと、
前記サドルの一方側から現れるステムと、
前記サドルの他方側から現れるティップと、
前記サドルの上部で、かつ、前記ティップと前記ステムとの間となる前記ケーブルサポートのケーブル受容領域を選択的に閉止するために用いられるワイヤリテーナとを備え、
前記ワイヤリテーナは、前記ケーブル受容領域を閉止するために用いられるときに、前記ティップの縁部の周囲を通過する、ケーブルサポート。
【請求項１０】
前記ステムは、
前記ワイヤリテーナの屈曲端を受けるための一対のノッチを有する、請求項９に記載のケーブルサポート。
【請求項１１】
前記ノッチは、前記ステムの縁の外フランジにある、請求項１０に記載のケーブルサポート。
【請求項１２】
前記ティップは、
前記ワイヤリテーナを固定するための突出部を有する、請求項９〜１１のいずれかに記載のケーブルサポート。
【請求項１３】
前記突出部は、
その中に前記ワイヤリテーナを受けるための穴を有する環状部を含む、請求項１２に記載のケーブルサポート。
【請求項１４】
前記リテーナは、前記ケーブルサポートへ損傷を与えることなく、エンドユーザによって選択的に環状部から取り外され得る、請求項１３に記載のケーブルサポート。
【請求項１５】
前記サドル、前記ティップ、および前記ステムのすべては、単一の金属板の一体型部品である、請求項９〜１４のいずれかに記載のケーブルサポート。
【請求項１６】
ケーブルを受けるサドルと、
前記サドルの一方側から現れるステムと、
前記サドルの他方側から現れるティップとを備え、
前記サドルは、半円形であり、
前記サドルは、少なくとも２インチの複合曲げ半径を有し、
前記サドル、前記ティップ、および前記ステムのすべては、単一の金属板の一体型部品である、ケーブルサポート。
【請求項１７】
前記サドルは、少なくとも２インチの幅を有し、
前記サドルは、少なくとも０．６インチの幅の中央部を含み、
前記中央部は、前記サドルの湾曲を除いて平坦であり、
前記サドルは、前記中央部の両側に付属した屈曲部をさらに含み、
前記屈曲部は、前記中央部から離れるように湾曲する、請求項１６に記載のケーブルサポート。
【請求項１８】
前記サドルは、
前記中央部に付属した前記屈曲部の反対の隣接側にある、前記屈曲部の先端側に付属したフランジをさらに含み、
前記フランジは、前記中央部に対して角度を有する、請求項１７に記載のケーブルサポート。
【請求項１９】
前記サドルの断面形状の深さは、少なくとも０．３４インチである、請求項１８に記載のケーブルサポート。
【請求項２０】
１つまたはより多くのケーブルを固定する方法であって、
ケーブルを受けるサドルと、前記サドルの一方側から現れるステムと、前記サドルの他方側から現れるティップとを含むケーブルサポートを提供するステップと、
その中に穴をそれぞれ有する、前記ティップの環状部を通してワイヤリテーナを設置するステップと、
前記サドルのケーブル受容領域に、１つまたはより多くのケーブルを配置するステップと、
前記ワイヤリテーナを用いて、前記ケーブル受容領域内のケーブルを固定するステップと備える、方法。
【請求項２１】
前記設置するステップは、
前記ワイヤリテーナの１つの屈曲端を、前記環状部の前記穴を通して挿入するステップと、
前記ワイヤリテーナを回転させるステップと、
前記ワイヤリテーナの脚部を前記穴を通して挿入するステップと、
前記ワイヤリテーナを再度回転させるステップと、
前記リテーナの中央部を、前記穴に挿入するステップとを含む、請求項２０に記載の方法。
【請求項２２】
前記固定するステップは、
前記ワイヤリテーナを回転させるステップと、
前記ティップおよびステムのフランジに沿って、前記ワイヤリテーナの脚部を通過させるステップとを含む、請求項２０に記載の方法。
【請求項２３】
前記固定するステップは、
前記ステムの前記フランジ内のノッチの中に、前記ワイヤリテーナの端部を設置するステップをさらに含む、請求項２２に記載の方法。
【発明の詳細な説明】
【技術分野】
【０００１】
発明の背景
発明の技術分野
本発明は、一般に、ケーブルサポートおよび方法に関する。
【背景技術】
【０００２】
関連技術の説明
米国特許番号５，７４０，９９４は、高性能通信ケーブル、およびその他の種類のケーブルに用いることのできる、様々なＪフック式ケーブルサポートを記載する。このようなケーブルサポートは、ケーブルの狭窄、およびケーブルの損傷を伴うことなく、ケーブルを支持することができる。この種のケーブルサポートは、米国オハイオ州ソロンのエリコ社（ERICO, Inc.）から入手可能である。
【発明の概要】
【発明が解決しようとする課題】
【０００３】
エリコ社から以前に入手可能なＪフック式ケーブルサポートの利点にもかかわらず、この領域の改善が可能である。
【課題を解決するための手段】
【０００４】
発明の要約
本発明の局面によれば、ケーブルサポートは、従前のサポートよりも大きいケーブル曲げ半径を提供する。
【０００５】
本発明の他の局面によれば、ケーブルサポートは、その領域に容易に設置または取外しが可能であり、ケーブルサポートのケーブル受容領域へのアクセスを開いたり閉じたりするために用いられる、取り外し可能なワイヤリテーナを有する。
【０００６】
本発明のさらなる他の局面によれば、ケーブルサポートは、さまざまなスナップ式ブラケットのすべてを受けるためのタブを有する。スナップ式ブラケットは、（複数のケーブルサポートを連結するための）ツリー型ブラケット、直線型ブラケット、および直角アングルブラケットを含む。
【０００７】
本発明のさらなる他の局面によれば、ケーブルサポートは、ケーブルを受けるサドルと、サドルの一方側から現れるステムと、サドルの他方側から現れるティップとを備える。ケーブルサポートは、１つまたはより多くの以下の特徴を含む。ケーブルサポートは、スナップ式ブラケットを受けるためのステム上のタブを含む。スナップ式ブラケットは、複数のサポートを連結するためのツリー型ブラケットである。スナップ式ブラケットは、直線型ブラケットである。スナップ式ブラケットは、アングルブラケットである。クリップ、クランプ、ハンガーなどは、恒久的または一時的にスナップ式ブラケットに結合される。タブの各々は、比較的細いネック部および比較的広い本体部を有する。タブは、二対のタブを含む。タブは折り曲げられた金属板の爪である。ブラケットは、ステムタブを受けるためのノッチ（切り込み）を含む。サポートは、金属板で作られている。ケーブルサポートは、ケーブルサポートのケーブル受容領域を選択的に閉止するためのワイヤリテーナを含む。ステムは、ワイヤリテーナの屈曲端を受けるための一対のノッチを有する。ティップは、ワイヤリテーナを固定するための突出部を有し、突出部はその中にワイヤリテーナを受けるための穴を有する環状部（loop）を含む。ケーブルサポートは、Ｊ型の形状を有し、サドルは少なくとも2インチの幅を有する。サドルは、少なくとも０．６インチの幅を有する中央部を含む。中央部は、サドルの湾曲を除いて平坦である。サドルは、中央部の両側に付属した屈曲部をさらに含み、屈曲部は中央部から離れるように湾曲している。サドルは中央部に付属した屈曲部の反対の隣接側にある、屈曲部の先端側に付属したフランジをさらに含み、フランジは中央部に対して角度を有する。フランジは中央部に対して約５０°の角度を有する。フランジは中央部に対して約４５°の角度を有する。フランジの各々は、他方に相対的に角度を有する２つの部品または部分を含む。サドルの断面形状の深さ（depth）は、少なくとも０．３４インチである。サドルの断面形状の深さは、少なくとも０．４インチである。サドルの断面形状の深さは、少なくとも０．５インチである。サドルの断面形状の深さは少なくとも０．４インチであり、サドルの直径は少なくとも２インチである。サドルの断面形状の深さは少なくとも０．５インチであり、サドルの直径は少なくとも３インチである。サドルは、半円形である。サドルは、少なくとも２インチの複合曲げ半径を有する。サドルは、少なくとも２．５インチの複合曲げ半径を有する。サドルは、少なくとも３インチの複合曲げ半径を有する。サドル、ティップ、およびステムのすべては、単一の部品である。ケーブルサポートは、金属製である。ケーブルサポートは、バネ鋼（spring steel）で作られている。
【０００８】
本発明のさらなる局面によれば、ケーブルサポートは、ケーブルを受けるサドルと、サドルの一方側から現れるステムと、サドルの他方側から現れるティップとを含む。ステムは、スナップ式ブラケットを受けるためのタブを含む。
【０００９】
本発明のまたさらなる局面によれば、ケーブルサポートは、ケーブルを受けるサドルと、サドルの一方側から現れるステムと、サドルの他方側から現れるティップと、サドルの上部で、かつ、ティップとステムとの間となるケーブルサポートのケーブル受容領域を選択的に閉止するために用いられるワイヤリテーナとを備える。ワイヤリテーナは、ケーブル受容領域を閉止するために用いられるときに、ティップの縁部の周囲を通過する。
【００１０】
本発明の他の局面によれば、ケーブルサポートは、ケーブルを受けるサドルと、サドルの一方側から現れるステムと、サドルの他方側から現れるティップとを含む。サドルは、半円形である。サドルは、少なくとも２インチの複合曲げ半径を有する。サドル、ティップ、およびステムのすべては、単一の金属板の一体型部品である。
【００１１】
本発明のさらなる他の局面によれば、１つまたはより多くのケーブルを固定するための方法であって、ケーブルを受けるサドルと、サドルの一方側から現れるステムと、サドルの他方側から現れるティップとを含むケーブルサポートを提供するステップと、その中に穴をそれぞれ有する、ティップの環状部を通してワイヤリテーナを設置するステップと、サドルのケーブル受容領域に１つまたはより多くのケーブルを配置するステップと、ワイヤリテーナを用いてケーブル受容領域内のケーブルを固定するステップと含む。
【００１２】
上述のおよび関連する目的を達成するために、本発明は、以下で完全に説明され、かつ特許請求の範囲において特に指摘した特徴を備える。以下の説明および付属の図面は、本発明のある例示的な実施形態の詳細を記載する。しかしながら、これらの実施形態は、本発明の理念が採用され得る様々な手法のほんのいくつかのみを示すものである。本発明の、他の目的、利点および新規の特徴は、図面とともに考慮されるときに、以下の本発明の詳細な説明から明らかになるであろう。
【００１３】
付属の図面においては、縮尺どおりである必要はない。
【図面の簡単な説明】
【００１４】
【図１】本発明の実施形態に従う、ケーブルサポートの斜視図である。
【図２】サポートの背面を示す、図１のケーブルサポートの他の斜視図である。
【図３】図１のケーブルサポートのステムの背面の部分の斜視図である。
【図４】図１のケーブルサポート上にワイヤリテーナを設置する方法における、第１のステップの斜視図である。
【図５】ワイヤリテーナを設置する方法における、第２のステップの斜視図である。
【図６】ワイヤリテーナを設置する方法における、第３のステップの斜視図である。
【図７】ワイヤリテーナを設置する方法における、第４のステップの斜視図である。
【図８】設置されたワイヤリテーナを用いてケーブルサポートのケーブル受容領域を閉止する工程における第１のステップの斜視図である。
【図９】閉止工程の第２のステップの斜視図である。
【図１０】閉止工程の第３のステップの斜視図である。
【図１１】ケーブルサポートのケーブル受容領域を閉止するための、図１のケーブルサポートのワイヤリテーナを設置する代替の方法の第１のステップの斜視図である。
【図１２】代替の方法の第２のステップの斜視図である。
【図１３】代替の方法の第３のステップの斜視図である。
【図１４】複数のケーブルサポートを連結するために用いられる、本発明の実施の形態に従う、ツリー型取付ブラケットの斜視図である。
【図１５】図１４のブラケットの平面図である。
【図１６】図１４のブラケットの終端図である。
【図１７】図１４のブラケットを用いた複数のケーブルサポートを連結した図を示す斜視図である。
【図１８】図１７の一部の詳細図である。
【図１９】本発明の実施形態に従う、直線型取付ブラケットの斜視図である。
【図２０】第１の母屋桁またはフランジクリップに結合された、図１９のブラケットの斜視図である。
【図２１】第２の母屋桁またはフランジクリップに結合された、図１９のブラケットの斜視図である。
【図２２】第３の母屋桁またはフランジクリップに結合された、図１９のブラケットの斜視図である。
【図２３】第４の母屋桁またはフランジクリップに結合された、図１９のブラケットの斜視図である。
【図２４】第５の母屋桁またはフランジクリップに結合された、図１９のブラケットの斜視図である。
【図２５】第６のクリップに結合された、図１９のブラケットの斜視図である。
【図２６】ロッドまたはパイプクランプに結合された、図１９のブラケットの斜視図である。
【図２７】第１の梁または母屋桁クランプに結合された、図１９のブラケットの斜視図である。
【図２８】第２の梁または母屋桁クランプに結合された、図１９のブラケットの斜視図である。
【図２９】第１のワイヤまたはロッドハンガークリップに結合された、図１９のブラケットの斜視図である。
【図３０】第２のワイヤまたはロッドハンガークリップに結合された、図１９のブラケットの斜視図である。
【図３１】図１９のブラケットおよび図２７のクランプに結合されたケーブルサポートを示す斜視図である。
【図３２】図３１の組合せの他の斜視図である。
【図３３】本発明の実施形態に従う、アングル取付ブラケットの斜視図である。
【図３４】本発明に従う、アングル取付ブラケットの代替の実施形態の斜視図である。
【図３５】本発明に従う、アングル取付ブラケットの他の代替の実施形態の斜視図である。
【図３６】第１のクリップに結合された図３３のブラケットの斜視図である。
【図３７】第２のクリップに結合された図３３のブラケットの斜視図である。
【図３８】第３のクリップに結合された図３３のブラケットの斜視図である。
【図３９】第１の梁クランプに結合された図３３のブラケットの斜視図である。
【図４０】第２の梁クランプに結合された図３３のブラケットの斜視図である。
【図４１】図３３のブラケットおよび図３９のクランプに結合されたケーブルサポートを示す斜視図である。
【図４２】図４１の組合せの他の斜視図である。
【図４３】本発明の実施形態に従う、本明細書で説明した取付ブラケットを用いて、ネジ棒に結合されたケーブルサポートの組合せの斜視図である。
【図４４】図４３の組合せの一部の詳細図である。
【図４５】本発明に従うケーブルサポートの実施形態の斜視図である。
【図４６】図４５のケーブルサポートの側面図である。
【図４７】図４５のケーブルサポートの底面図である。
【図４８】本発明に従うケーブルサポートの他の実施形態の斜視図である。
【図４９】図４８のケーブルサポートの側面図である。
【図５０】図４８のケーブルサポートの底面図である。
【図５１】本発明に従うケーブルサポートのさらに他の実施形態の斜視図である。
【図５２】図５１のケーブルサポートの側面図である。
【図５３】図５１のケーブルサポートの底面図である。
【発明を実施するための形態】
【００１５】
詳細な説明
Ｊフック式ケーブルサポートは、半円形のサドルと、サドルの一方側から現れるステムと、サドルの他方側から現れるティップとを備える。ステムは、構造部品と係合するため、または複数のケーブルサポートを連結するために、スナップ式ブラケットと係合できる突出タブを含む。ステムは、サドルから離れるようにステムに沿って異なる高さに備えられた二対のタブを有し得る。タブは、ステムの金属を折り曲げた部分であり、サドルによって定められるケーブル受容領域から離れるように、ステムの背面方向に折り曲げられ得る。スナップ式ブラケットは、１つまたはより多くのケーブルサポートのタブを係合するための、１つまたはより多くの対のノッチを含み得る。スナップ式ブラケットの可能な種類の中には、ツリー型設置ブラケットがあり、これは、複数のケーブルサポートを背面同士におよび／または垂直方向に結合することができ、ツリー型のケーブルサポートを形成する。スナップ式ブラケットには、様々な種類の母屋桁（purlin）に係合することによるような、構造物にケーブルサポートを取付けるための様々な取付ブラケットがある。そして、スナップ式ブラケットには、釘、ネジまたはリベットの使用によるような、締結材を用いて構造物に１つまたはより多くのケーブルサポートを結合するための様々なアングルブラケットがある。ワイヤリテーナは、ティップおよびステムの両方に結合されたワイヤを有し、ケーブル受容領域を閉止するために用いられ得る。
【００１６】
まず図１および図２を参照して、Ｊフック式またはＪ形状ケーブルサポート１０は、ケーブルを受けるサドル１２を含む。サドル１２は、半円形のサドルとして示されるが、サドル１２は代替的に、たとえば平端部と湾曲部の組合せを有する、異なった形状を有してもよいことが理解されるであろう。サドル１２は、サドル１２の長手方向の中央部方向に膨らんだ、湾曲した内面１４を有する。面１４は、サドル１２の軸に沿った方向には実質的に湾曲していない、平坦な中央部１６を有する。中央部１６の両側には、中央部１６から離れるような各度を持った屈曲部１８および２０がある。先端フランジ２２および２４は、屈曲部１８および２０から拡がっており、中央部１６からさらに離れるような角度を有する。部分１６、１８および２０、ならびに、フランジ２２および２４によって与えられる全体的な形状は、中央部１６から離れるように拡がった形状を与える屈曲部１８および２０、ならびに、フランジ２２および２４により、膨らんだ形状となる。
【００１７】
面の中央部１６は、少なくとも０．６インチ（１５．２ｍｍ）の幅を有し得るが、中央部１６は、他の幅を有してもよいことが理解されるであろう。中央部１６は実質的に平坦であるが、中央部１６は、それに代えて、いくらかの曲率を有してもよいことが理解されるであろう。
【００１８】
屈曲部１８および２０は、中央部１６から湾曲する、約２インチ（７６ｍｍ）の曲率を有し得る。しかしながら、屈曲部１８および２０は、他の曲率を有してもよいことが理解されるであろう。
【００１９】
フランジ２２および２４は、平坦であってもよいし、または曲面であってもよい。フランジ２２および２４の各々は、単一の平坦面、または、単一の曲面を有してもよいし、それに代えて、互いに角度を有する複数の面を含んでもよい。ケーブルがサドル内に普通に置かれているときにフランジ２２および２４がケーブルに接しないように、フランジ２２および２４は、屈曲部１８および２０から離れるように角度が設けられ得る。
【００２０】
サドル１２は、少なくとも２インチ（５０．８ｍｍ）の幅を有し得るが、サドル１２は他の幅を有してもよいことが理解されるであろう。サドル内面１４の構造は、それに接するケーブルまたは他の物体に、少なくとも２インチ（５ｃｍ）、またはそれに代えて少なくとも２．５インチ（６．３ｃｍ）の曲率半径を与え得る。サドル内面１４は、サドル１２によって支持されたケーブルサポート内のケーブルについて、最小曲率半径を維持するのに役立つ。湾曲内面１６の半径は、カテゴリ６、カテゴリ６Ａ、カテゴリ７、またはより高いカテゴリケーブルの設置に関して要求される最小半径を維持するように選択され得る。たとえば、他の最小ケーブル曲率半径に合致するために、他の適した曲率半径が選択され得ることが理解されるであろう。
【００２１】
サドル１２の内面１４は、ケーブルサポート１０のケーブル受容領域２６の底部を定める。ケーブルは、ケーブル受容領域内に配置され、内面１４上に置かれる。フランジ２２および２４は、サドル１２上に置かれた、またはサドル１２を覆う（pulled over）ケーブルと接するための丸みを帯びた縁を提供する。
【００２２】
ステム３０は、サドル１２の一方端から垂直に延びる。ステム３０は、サドル表面１４の垂直上方の延長部であり、平坦な中央部１６、屈曲部１８および２０、ならびにフランジ２２および２４の延長部を有する。これは、サドル１２と同様の（角または鋭い縁を持たない）ケーブルに優しい表面を有するステム３０を提供する。これらの対応する延長部は、図１および図２における参照番号３６〜４４によって指定される。
【００２３】
さらに図３を参照して、ステム３０は、タブ５２、５４、５６および５８を有する。タブ５２および５６はステム内の屈曲部３８から突出し、タブ５４および５８は屈曲部４０から突出する。以下により詳細に説明されるように、タブ５２〜５８は、ステム３０を１つまたはより多くのスナップ式ブラケットに結合するために、複数のケーブルサポート１０を連結するために、および／または、ケーブルサポート１０を構造部材または構造面に結合するために用いられる。タブ５２および５４は、第１のタブセットを構成し、タブ５６および５８は第２のタブセットを構成する。タブセット６０および６２は、サドル１２上の異なる高さにあり、第１のタブセット６０は第２のタブセット６２よりも、ステム３０の自由端６４に近い。
【００２４】
タブ５２〜５８の各々は、幅の細いネック部６５を有し、それは幅広の本体部６６へとせり出して拡がっている。タブ５２〜５８の各々の本体部６６の片側には、傾斜した縁面６８がある。傾斜した縁面６８は、ステム３０の中心方向に、タブセット６０および６２の間のステム３０の一部に面している。（タブセット６０および６２の間のステム３０の一部から離れる方向に面している）タブ本体部６６の他方側には、ネック部６５のある段（step）７０に続く湾曲した縁面６９がある。
【００２５】
タブ５２〜５８は、ステム３０の金属板の折り曲げ部分であり得る。タブ５２〜５８は、ステム３０の背面から、ステム３０の後方側に、サドル１２の内面１４が続く側から離れるように突出している。したがって、タブ５２〜５８は、屈曲部３８および４０に、対応する穴７２、７４、７６および７８を残し得る。
【００２６】
ステム３０は、さらに、締結材を受けるための他の穴を有し得る。図示された実施形態においては、締結穴は、リベット穴８０、釘穴８２、およびネジが形成されたネジ穴８４を含む。締結穴８０〜８４は、ステム３０を構造物および／または他のケーブルサポートに機械的に結合するために用いられ得る。締結穴８０〜８４は、ステム中央部３６の中心に、垂直線上に、サドル１２上の異なった高さに設けられる。締結穴の異なった数、種類、および／または構成が、その代わりに利用され得ることが理解されるであろう。
【００２７】
ステム３０は、ステムフランジ４２および４４に、一対のノッチ８６および８７を含む。ノッチ８６および８７は、以下で説明されるように、ワイヤリテーナ８８を受け、固定するために用いられる。
【００２８】
サポート１０のティップ９０は、サドル１２から、ステム３０の反対側へ延びている。ティップ９０は、ステム３０と実質的に平行であり得る。あるいは、ティップ９０は、ケーブルのケーブル受容領域２６への設置を容易にするために、ステム３０から少し離れるように角度を有してもよい。
【００２９】
ティップ９０は、ステム３０と同様に、平坦な中央部１６、屈曲部１８および２０、ならびにフランジ２２および２４を有するサドル表面１４の、垂直上方への延長部を含む。これは、サドル１２と同様の（角または鋭い縁を持たない）ケーブルに優しい表面を有するステム３０を提供する。これらの対応する延長部は、図１および図２における参照番号９６〜１０４によって指定される。
【００３０】
ティップ９０は、その自由端１１０の近傍に縁なし部１０８を含み、ここはフランジ１０２および１０４は延びていない。ティップ９０は、ワイヤリテーナ８８を受け、保持するための一対の環状部１１４および１１６を含む。環状部１１４および１１６は、ティップの屈曲部９８および１００から、ケーブル受容領域２６から離れる方向に外側へ折れ曲がった爪である。環状部１１４および１１６は、円形断面物体を受けるための、中央部の円形穴１１８および１２０を有する。穴１１８および１２０は、穴の軸に沿って穴１１８および１２０に挿入された物体が、その軸に沿ってスライドさせる以外には取り外すことができないような、切れ目のない穴（closed hole）である。
【００３１】
ケーブルサポート１０は、適当なバネ鋼のような、適当な金属で作られ得る。ケーブルサポート１０の様々な部品は、打ち抜き加工および曲げ加工のような、適当な工程によって形成され得る。
【００３２】
ワイヤリテーナ８８は、中央部１３０と、一対の脚部１３２および１３４と、一対の屈曲端１３６および１３８とを備える矩形形状を有する。脚部１３２および１３４は、実質的に互いに平行であり、中央部１３０に対して実質的に直角である。屈曲端１３６および１３８は、脚部１３２および１３４の、中央部１３０から最も遠い先端において内側に折れ曲がっている。屈曲端１３６および１３８は、ワイヤリテーナ８８の中心線方向の内側に向けて折れ曲がっている。リテーナ８８は、単一のワイヤで作られ、様々な部分１３０〜１３８を形成するように折り曲げられ得る。
【００３３】
リテーナ８８が設置されると、リテーナの中央部１３０は、ティップ９０の環状部１１４および１１６によって適切な位置で支えられる。リテーナの脚部３１２および１３４は、ティップの屈曲部９８および１００の縁部１４２および１４４周辺に伸びる。リテーナ８８の屈曲端１３６および１３８は、ステム３０のノッチ８６および８７に適合し、ステム３０のノッチ８６および８７によって保持される。
【００３４】
図４〜１３は、ケーブル、ワイヤ、電線管、またはケーブル受容領域２６内の他の物体を固定するために、ステム３０およびティップ９０にワイヤリテーナ８８を設置するための一組の（a pair of）工程を示す図である。図４〜６は、ワイヤリテーナ８８が、どのように環状部１１４および１１６の中に設置され得るかを示す。まず、屈曲端１３８が、環状部１１４の穴１１８内に挿入され、かつ、そこから環状部１１６の穴１２０内に挿入され得る（図４）。次に、穴１１８および１２０を通して挿入された脚部１３４を用いて、リテーナ８８を回転させる（図５）。リテーナ８８の他の回転により、リテーナの中央部１３０が穴１１８および１２０を通して挿入される（図６）。リテーナ８８は、したがって、環状部１１４および１１６内に固定される。図７に示されるように、リテーナ８８は、その中央部１３０の周りに自由に回転でき、ケーブル受容領域２６の外側にぶら下げられることができる。これにより、ケーブル受容領域２６への自由なアクセスが可能であり、たとえば、ケーブルや他の物体の、挿入、撤去または再配置を可能とする。
【００３５】
図８〜１０に示されるように、リテーナ８８は、ケーブル受容領域２６を閉止するために用いられ得る。まず、リテーナ８８は、図８に図示されるように、上方へ回転される。回転が継続されながら、リテーナの脚部１３２および１３４は、脚部１３２および１３４と屈曲端１３６および１３８とが、ステムフランジ４２および４４を通過できるように、引き離される（図９）。図１０は、屈曲端１３６および１３８がステムフランジのノッチ８６および８７に入れられ、ワイヤリテーナ８８が完全な設置位置に有る状態を示す。ステム３０は、ワイヤリテーナ８８に力が加えられていない形状よりも幅が広い。これは、ステム３０にリテーナ８８を設置するために、リテーナの脚部１３２および１３４にいくらかの弾性変形が生じていることを意味する。設置が完了すると、脚部１３２および１３４は、ステム３０の側面に対して、内方向の弾性力を発揮する。この弾性力は、ノッチ８６および８７内の屈曲端１３６および１３８を保持するのに役立つ。
【００３６】
図１１〜１３は、ワイヤリテーナ８８を設置するための代替の工程を示す図である。ワイヤリテーナ８８は、ティップ９０のフランジのない部分１０８の外側にスライドされ、または設置される（図１１）。このステップにおいて、リテーナ８８の脚部１３２および１３４は、ティップのフランジのない部分１０８におけるティップの縁部１４２および１４４に接し得る。
【００３７】
図１２は、設置工程の次のステップを示す図であり、脚部１３２および１３４は、ステムのフランジ４２および４４を通過できるように離れるように折り曲げられる。図１３は、リテーナ８８が完全に設置された状態を示しており、屈曲端１３６および１３８はステムのフランジのノッチ８６および８７内に配置される。環状部１１４および１１６は、たとえリテーナ８８が環状部１１４および１１６の穴１１８および１２０内に挿入されていなくとも、ティップ９０の先端からリテーナ８８が外れないように働く。ティップのフランジ１０２および１０４は、ワイヤリテーナ８８がティップ９０から滑り落ちるのを防止する。
【００３８】
図３〜９の設置方法により、ケーブル受容領域２６へのアクセスを阻害することなく、リテーナ８８をティップ９０に結合することができる。図１１〜１３の方法は、より少ないステップ、およびより少ないスペースが要求され、リテーナ８８を容易に取り外すことができる。
【００３９】
図１４〜１６は、一対のケーブルサポート１０（図１）を連結するために用いられる、ツリー型取付ブラケット１５０を示す。取付ブラケット１５０は、ケーブルサポート１０を一緒に固定するために、２つの異なるケーブルサポート１０の複数対のタブ５２、５４、５６および５８（図２）を受け、かつ固定するための４つのノッチ１５２、１５４、１５６および１５８を備える、概して矩形形状を有する。ノッチ１５２〜１５８は２つのセットであり、ブラケット１５０に沿った、異なる距離に配置される。タブ１６２、１６４、１６６および１６８は、それぞれのノッチ１５２〜１５８に隣接して、取付ブラケット１５０の本体部１７０に角度を持って延びている。タブ１６２〜１６８は、ノッチ１５２〜１５８に隣接して、ノッチ１５２〜１５８の取付ブラケット１５０の中央に最も近い終端に配置される。タブ１６２〜１６８は、ノッチ１５２〜１５８内にステムタブ５２〜５８を維持するのに役立つ。
【００４０】
ブラケット本体部１７０は、中央のチャンネル１７２と、一対の屈曲部１７４および１７６とを有する。屈曲部１７４および１７６は、それらの間の角度が、ステムの屈曲部３８および４０（図１）と実質的に同じ角度を有するように構成され得る。中央のチャンネル１７２は、ブラケット１５０の構造的な支持を提供する。
【００４１】
ブラケット１５０は、バネ鋼またはその他の適当な材料で作られ得る。ブラケット１５０は、打ち抜き加工のような適当な工程を用いて形成され得る。
【００４２】
図１７および図１８は、複数のケーブルサポート１０のステム３０を連結するために用いられるブラケット１５０を示す図である。１つのケーブルサポート１０の、下側のステムタブ５６および５８は、ブラケット１５０の上側ノッチ１５２および１５４、ならびに上側タブ１６２および１６４と係合する。他のケーブルサポート１０の、上側のステムタブ５２および５４は、ブラケット１５０の下側のノッチ１５６および１５８、ならびに上側のタブ１６６および１６８と係合する。ステムタブ５２〜５８をノッチ１５２〜１５８に挿入することによって、ステムタブ５２〜５８の各々の湾曲した縁部６９が、タブ１６２〜１６８のうちの１つと接触する状態になる。この接触は、タブ１６２〜１６８を弾性的に変形させ、タブ１６２〜１６８をノッチ１５２〜１５８の反対の端部に対してステムタブ５２〜５８を押し付けるようにする。これは、ブラケットのノッチ１５２〜１５８内にステムタブ５２〜５８が保持されることを助け、ステムタブの傾斜した縁面６８もまた、ブラケットのノッチ１５２〜１５８から、タブ５２〜５８が外れないようにする。
【００４３】
図１９は、直接または様々なクリップやクランプを用いてケーブルサポート１０を構造物に結合するために、ケーブルサポート１０（図１）と結合され得る、直線型取付ブラケット２００を示す。取付ブラケット２００は、一対のノッチ２０２および２０４を有し、これらは、隣接する屈曲タブ２０６および２０８をそれぞれ有する。ノッチ２０２および２０４、ならびにタブ２０６および２０８は、取付けブラケット１５０（図１４）のタブ１５２〜１５８およびタブ１６２〜１６８と同じように機能し得る。すなわち、ノッチ２０２および２０４、ならびにタブ２０６および２０８は、ケーブルサポート１０のステムタブ５２および５４に係合するために用いられ、取付ブラケット２００をケーブルサポート１０に固定する。
【００４４】
取付ブラケット２００は、平坦な中央部２１２、および中央部２１２から離れるような角度を有する屈曲部２１４および２１６を備えたブラケット本体部２１０を有する。屈曲部２１４および２１６は、それらの間の角度が、ステム屈曲部３８および４０（図１）と同じ角度を有するように構成され得る。穴２２０は、構造部材または取付クリップやクランプにブラケット２００を固定可能な、リベット、ネジ締結材、または他の締結材を受けるために用いられ得る。
【００４５】
図２０〜２５は、取付ブラケット２００が、様々な構造の母屋桁またはフランジクリップに、リベットを用いて結合された構成を示す。図２６は、リベットによってパイプまたはロッドクランプに結合された、円形断面物体に係合するための取付ブラケット２００を示す。図２７および図２８は、リベットまたはボルトによって、梁または母屋桁クランプに結合された、梁または母屋桁のフランジに係合するための取付ブラケット２００を示す。図２９および図３０は、もの（item）を吊り下げるために用いられる棒またはワイヤに結合するためのハンガーに結合された取付ブラケット２００を示す。
【００４６】
図３１および図３２は、取付ブラケットをどのようにしてケーブルサポート１０へ結合するかの一例を示す図である。例示された図においては、取付ブラケット２００は、梁または母屋桁クランプ２３０をケーブルサポートに結合するために用いられる。
【００４７】
図３３は、ケーブルサポート１０（図１）に結合可能なアングルブラケット２４０を示す。ブラケット２４０は、ブラケット２００（図１８）のブラケット本体部２１０と同じような断面形状を有し、平坦な中央部２４４と屈曲部２４８および２５０とを有するブラケット本体部２４２を備える。
【００４８】
ブラケット本体部２４２は、その長さを二等分する、実質的に直角な曲げ部２５１を有する。ブラケット２４０は、それに代えて、異なった範囲の曲げを有してもよいことが理解できるであろう。曲げ部２５１の一方側に、ブラケット２４０は一対のノッチ２５２および２５４を有し、ノッチ２５２および２５４は、それらに隣接する、それぞれ角度を有するタブ２５６および２５８を有する。ノッチ２５２および２５４ならびにタブ２５６および２５８は、ブラケット２００のノッチ２０２および２０４ならびにタブ２０６および２０８（図１９）と、実質的に同一の構成および機能であり得る。曲げ部２５１の他方側に、ブラケットは穴２６０を有する。穴２６０は、構造部材または取付クリップやクランプにブラケット２００を固定可能な、リベット、ネジ締結材、または他の締結材を受けるために用いられ得る。図３４および図３５は、より大きな直径の穴２６０’および２６０”をそれぞれ有するブラケット２４０の構造を示す。
【００４９】
図３６〜３８は、様々な種類のクリップに結合された、母屋桁の縁または他の構造物に係合するためのブラケット２４０を示す。図３９および図４０は、リベットまたはボルトによって、梁や母屋桁のフランジに係合するための梁または母屋桁クランプに結合された取付ブラケット２４０を示す。
【００５０】
図４１および図４２は、直角取付ブラケットの１つの使用例を示す。図示された例は、梁または母屋桁クランプ２７０をケーブルサポート１０に結合するために用いられる取付ブラケット２４０を示す。
【００５１】
図４３および図４４は、いくつかのケーブルサポート１０を固定するために、様々なブラケットがどのように組合され得るかを示す図である。一対のアングルブラケット２４０は、一対のケーブルサポート１０をネジ棒２８０に結合するために用いられる。ツリー型ブラケット１５０は、アングルブラケット２４０に結合されたケーブルサポートに、追加のケーブルサポート１０を連結する。ブラケット１５０および２４０の使用を通して、様々なサイズの８つのケーブルサポート１０が単一の支持構造、すなわちネジ棒２８０に結合される。
【００５２】
図４５〜４７は、１インチ（２５．４ｍｍ）の直径のサドル３１２を有するケーブルサポート３１０を示す。サドルの中央部３１６は、（サドルの半円形状以外は）平坦であり、０．６インチ（１５．２ｍｍ）の幅を有する。サドルの屈曲部３１８および３２０は、３インチ（７６．２ｍｍ）の曲率を有する。中央部３１６と屈曲部３１８および３２０とを組合せた幅（屈曲部３１８の先端と屈曲部３２０の先端との間の距離）は、１．５５１インチ（３９．３９ｍｍ）である。フランジ３２２および３２４は、中央部３１６の平面に対して５０°の角度を有する。サドル３１２の全体幅、すなわちフランジ３２２の先端から他方のフランジ３２４の先端までの距離は、２インチ（５０．８ｍｍ）である。サドル３１２の深さ、すなわちフランジ３２２および３２４の端から、中央部３１６の平面までの垂直距離は、０．３４インチ（８．５ｍｍ）である。
【００５３】
ステム３３０は、サドル３１２の上方３．３インチ（８３．８ｍｍ）の高さに延びている。ティップ３４０は、サドル３１２上方１．０６インチ（２６．９ｍｍ）の高さに延びている。
【００５４】
図４８〜５０は、２インチ（５０．８ｍｍ）の直径のサドル３６２を有するケーブルサポート３６０を示す。サドルの中央部３６６は、（サドルの半円形状以外は）平坦であり、０．６インチ（１５．２ｍｍ）の幅を有する。サドルの屈曲部３６８および３７０は、３インチ（７６．２ｍｍ）の曲率を有する。中央部３６６と屈曲部３６８および３７０とを組合せた幅（屈曲部３６８の先端と屈曲部３７０の先端との間の距離）は、１．５７インチ（３９．８ｍｍ）である。フランジ３７２および３７４は、２つの部分からなるフランジであり、屈曲部３６８および３７０から現れる、それぞれの隣接部３７６および３７７を有するとともに、それぞれの先端部３７８および３７９を有する。隣接部３７６および３７７の各々は、中央部３６６の平面に対して４５°の角度を有する。先端部３７８および３７９は、それらのそれぞれの隣接部３７６および３７７に対して４５°の角度を有する。これにより、先端部３７８および３７９は、中央部３６６に対して実質的に垂直になる。サドル３６２の全体幅、すなわちフランジ３７２の先端から他方のフランジ３７４の先端までの距離は、２インチ（５０．８ｍｍ）である。サドル３６２の深さ、すなわちフランジ３７８および３７９の端から、中央部３６６の平面までの垂直距離は、０．４インチ（１０．２ｍｍ）である。ステム３８０は、サドル３６２の上方３．３９インチ（８６．１ｍｍ）の高さに延びている。ティップ３９０は、サドル３６２上方１．６インチ（４０．６ｍｍ）の高さに延びている。
【００５５】
図５１〜５３は、３インチ（７６．２ｍｍ）の直径のサドル４１２を有するケーブルサポート４１０を示す。サドルの中央部４１６は、（サドルの半円形状以外は）平坦であり、０．６インチ（１５．２ｍｍ）の幅を有する。サドルの屈曲部４１８および４２０は、３インチ（７６．２ｍｍ）の曲率を有する。中央部３６６と屈曲部４１８および４２０とを組合せた幅（屈曲部４１８の先端と屈曲部４２０の先端との間の距離）は、１．５７インチ（３９．８ｍｍ）である。フランジ４２２および４２４は、２つの部分からなるフランジであり、屈曲部４２８および４２０から現れる、それぞれの隣接部４２６および４２７を有するとともに、それぞれの先端部４２８および４２９を有する。隣接部４２６および４２７の各々は、中央部４１６の平面に対して４５°の角度を有する。先端部４２８および４２９は、それらのそれぞれの隣接部４２６および４２７に対して４５°の角度を有する。これにより、先端部４２８および４２９は、中央部４１６に対して実質的に垂直になる。サドル４１２の全体幅、すなわちフランジ４２２の先端から他方のフランジ４２４の先端までの距離は、２インチ（５０．８ｍｍ）である。サドル４１２の深さ、すなわちフランジ４２８および４２９の端から、中央部４１６の平面までの垂直距離は、０．５インチ（１２．７ｍｍ）である。より大きな直径のサドルについて、同様の断面形状を利用してもよい。
【００５６】
ステム４３０は、サドル４１２の上方４．６２インチ（１１７．３ｍｍ）の高さに延びている。ティップ４４０は、サドル４１２上方２．２９インチ（５８．２ｍｍ）の高さに延びている。
【００５７】
上述の寸法は、様々なケーブルサポートに関して改善された特性をもたらし得る。特に、ケーブルサポートについての様々な深さおよび形状は、ケーブルサポートをより容易に形成し得る。サドルの深さおよび断面形状はたとえば、従来のJ形状ケーブルサポートが達成したよりも、引っ張り試験におけるより大きな強さを提供し得る。この形状は、さらに、サポートに負荷がかかったときに、望ましくないサドルの変形を防止するのに役立つ。
【００５８】
図４５〜５３に示された具体的な実施形態において示された寸法は、これらの具体的な実施形態に独特であることが理解されるであろう。他の適当な寸法および構成を用いてもよい。
【００５９】
本明細書で説明された様々なケーブルサポートが、使用される様々なシステムにわたって多くの利点を提供することもまた理解されるであろう。これらの利点のいくつかは、上記で説明されている。さらに、ネジ締結材を用いる必要なくケーブルサポートを連結することは、設置の際に多くの時間の節約を提供する。本明細書で説明された様々な構造を有する、バネ鋼のケーブルサポートを採用することによって、上述のように、背面同士の結合および上下の結合の両方で連結されたツリー型の複数のケーブルサポートのように、大きな負荷を支持することが可能となる。様々なブラケットをケーブルサポートに結合する能力は、様々な種類の建築構造に結合する際に、その多様性を増加する。
【００６０】
本発明はある好ましい実施形態に関して示され説明されたが、当業者がこの明細書および付属の図面を読みそして理解するときに、均等な変更および修正を思いつくことは明らかである。特に上述の要素（構成部品、組立品、装置、構成など）によって発揮される様々な機能に関しては、そのような要素を説明するために用いられる用語（「意味」に関しても含む）は、別段に示されなければ、たとえ本発明の本明細書において例示された実施形態における機能を発揮する開示された構造と構造的に均等でなくとも、説明された要素の具体的な機能を発揮する（すなわち、機能的に均等である）すべての要素に相当することが意図される。さらに、本発明の特別な特徴が、図示されたいくつかの実施形態のうちの１つまたはより多くにのみ関して、上記のように説明されたが、このような特徴は、所与のまたは特定の用途に関して望まれ、または有利になるように、他の実施形態の１つまたはより多くの他の特徴と組合され得る。
【図１】
2010538220.tif 000003
【図２】
2010538220.tif 000004
【図３】
2010538220.tif 000005
【図４】
2010538220.tif 000006
【図５】
2010538220.tif 000007
【図６】
2010538220.tif 000008
【図７】
2010538220.tif 000009
【図８】
2010538220.tif 000010
【図９】
2010538220.tif 000011
【図１０】
2010538220.tif 000012
【図１１】
2010538220.tif 000013
【図１２】
2010538220.tif 000014
【図１３】
2010538220.tif 000015
【図１４】
2010538220.tif 000016
【図１５】
2010538220.tif 000017
【図１６】
2010538220.tif 000018
【図１７】
2010538220.tif 000019
【図１８】
2010538220.tif 000020
【図１９】
2010538220.tif 000021
【図２０】
2010538220.tif 000022
【図２１】
2010538220.tif 000023
【図２２】
2010538220.tif 000024
【図２３】
2010538220.tif 000025
【図２４】
2010538220.tif 000026
【図２５】
2010538220.tif 000027
【図２６】
2010538220.tif 000028
【図２７】
2010538220.tif 000029
【図２８】
2010538220.tif 000030
【図２９】
2010538220.tif 000031
【図３０】
2010538220.tif 000032
【図３１】
2010538220.tif 000033
【図３２】
2010538220.tif 000034
【図３３】
2010538220.tif 000035
【図３４】
2010538220.tif 000036
【図３５】
2010538220.tif 000037
【図３６】
2010538220.tif 000038
【図３７】
2010538220.tif 000039
【図３８】
2010538220.tif 000040
【図３９】
2010538220.tif 000041
【図４０】
2010538220.tif 000042
【図４１】
2010538220.tif 000043
【図４２】
2010538220.tif 000044
【図４３】
2010538220.tif 000045
【図４４】
2010538220.tif 000046
【図４５】
2010538220.tif 000047
【図４６】
2010538220.tif 000048
【図４７】
2010538220.tif 000049
【図４８】
2010538220.tif 000050
【図４９】
2010538220.tif 000051
【図５０】
2010538220.tif 000052
【図５１】
2010538220.tif 000053
【図５２】
2010538220.tif 000054
【図５３】
2010538220.tif 000055
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
ケーブルを受けるサドルと、
前記サドルの一方側から現れるステムと、
前記サドルの他方側から現れるティップとを備え、
前記ステムは、スナップ式ブラケットを受けるためのタブを含む、ケーブルサポート。
【請求項２】
前記タブに結合されるスナップ式ブラケットをさらに備える、請求項１に記載のケーブルサポート。
【請求項３】
前記スナップ式ブラケットは、直線型ブラケット、アングルブラケット、または、複数のケーブルサポートを連結するためのツリー型ブラケットのうちの１つである、請求項２に記載のケーブルサポート。
【請求項４】
前記スナップ式ブラケットに恒久的にまたは一時的に結合される、クリップ、クランプ、またはハンガーをさらに備える、請求項２または３に記載のケーブルサポート。
【請求項５】
前記スナップ式ブラケットは、
前記タブを受けるためのノッチを有する、請求項２〜４のいずれかに記載のケーブルサポート。
【請求項６】
前記スナップ式ブラケットは、
前記ブラケットが前記ステムの前記タブに結合されると弾性的に変形されるブラケットタブを有し、
前記ブラケットタブによって、前記ステムの前記タブが前記ノッチの端部に対して押し付けられる、請求項５に記載のケーブルサポート。
【請求項７】
タブの各々は、
前記ステムの残余の部分と結合された相対的に狭いネック部と、相対的に広い本体部とを有する、請求項１〜６のいずれかに記載のケーブルサポート。
【請求項８】
前記タブは、前記ステムの、前記サドルから反対方向にある背面側から延びる、折り曲げられた金属板の爪である、請求項１〜７のいずれかに記載のケーブルサポート。
【請求項９】
前記サドル、前記ティップ、および前記ステムのすべては、単一の金属板の一体型部品である、請求項１〜８のいずれかに記載のケーブルサポート。
【請求項１０】
前記タブは、二対のタブを含み、
各対は、別個のスナップ式ブラケットを受けるためのものである、請求項１〜９のいずれかに記載のケーブルサポート。
【請求項１１】
前記タブの対の各々は互いに同一であり、各対の両方のタブは実質的に同一である、請求項１０に記載のケーブルサポート。
【請求項１２】
前記サドルの上部で、かつ、前記ティップと前記ステムとの間となる前記ケーブルサポートのケーブル受容領域を選択的に閉止するために用いられるワイヤリテーナをさらに備え、
前記ワイヤリテーナは、前記ケーブル受容領域を閉止するために用いられるときに、前記ティップの縁部の周囲を通過する、請求項１〜１１のいずれかに記載のケーブルサポート。
【請求項１３】
前記サドルは、半円形であり、
前記サドルは、少なくとも５ｃｍ（２インチ）の複合曲げ半径を有し、
前記サドルは、少なくとも５ｃｍ（２インチ）の幅を有し、
前記サドルは、少なくとも１．５ｃｍ（０．６インチ）の幅の中央部を含み、
前記中央部は、前記サドルの湾曲を除いて平坦であり、
前記サドルは、前記中央部の両側に付属した屈曲部をさらに含み、
前記屈曲部は、前記中央部から離れるように湾曲し、
前記サドル、前記ティップ、および前記ステムのすべては、単一の金属板の一体型部品である、請求項１〜１２のいずれかに記載のケーブルサポート。
【請求項１４】
１つまたはより多くのケーブルを支持する方法であって、
ケーブルサポートを提供するステップを備え、
前記ケーブルサポートは、ケーブルを受けるサドルと、前記サドルの一方側から現れるステムと、前記サドルの他方側から現れるティップとを含み、
前記ステムは、２対のステムタブを含み、
前記方法は、
一対のスナップ式ブラケットを提供するステップと、
前記ブラケットを前記ケーブルサポートに結合するステップとをさらに備え、
前記結合するステップは、前記ステムタブの対のそれぞれに係合する前記スナップ式ブラケットを含み、
前記方法は、
前記ケーブルサポートの前記サドル内に１つまたはより多くのケーブルを設置するステップをさらに備える、方法。
【請求項１５】
前記結合するステップは、
前記ブラケットのノッチに前記ステムタブを挿入するステップを含み、
前記挿入するステップは、
前記ブラケットのブラケットタブを、前記ステムタブに接触させるステップと、
前記ブラケットタブを弾性的に変形させるステップとを含む、請求項１４に記載の方法。
【国際調査報告】
2010538220.tif 000056
2010538220.tif 000057
2010538220.tif 000058
2010538220.tif 000059
2010538220.tif 000060